(57)【要約】【課題】データドライブICが不良である場合、プラズマディスプレイパネルを交替する不合理性を除去し得るプラズマディスプレイ装置及びプラズマディスプレイパネルの駆動装置を提供する。【解決手段】本発明に係るプラズマディスプレイ装置においては、電極を含むプラズマディスプレイパネルと、該プラズマディスプレイパネルの駆動のための駆動パルスを出力するドライブICが実装されたドライブボードと、前記ドライブICの出力端と電気的に連結された端子を含むコネクタと、該コネクタと連結されて、前記ドライブICの出力端を通して出力された駆動パルスを前記プラズマディスプレイパネルの電極に供給する駆動連結部と、を含むことを特徴とする。【選択図】図３
2006163421.tif 000002
【特許請求の範囲】
【請求項１】
電極を含むプラズマディスプレイパネルと、
該プラズマディスプレイパネルの駆動のための駆動パルスを出力するドライブICが実装されたドライブボードと、
前記ドライブICの出力端と電気的に連結された端子を含むコネクタと、  
該コネクタと連結されて、前記ドライブICの出力端を通して出力された駆動パルスを前記プラズマディスプレイパネルの電極に供給する駆動連結部と、を含むことを特徴とするプラズマディスプレイ装置。
【請求項２】
前記駆動連結部の端子は、前記コネクタに挿入されて、前記駆動連結部の端子と前記コネクタの端子とがお互いに接触することを特徴とする請求項１記載のプラズマディスプレイ装置。
【請求項３】
前記駆動連結部は、前記プラズマディスプレイパネルの電極と電気的に連結される導線が形成された軟性回路基板であることを特徴とする請求項１記載のプラズマディスプレイ装置。
【請求項４】
前記ドライブICはデータドライブICで、前記電極はアドレス電極であることを特徴とする請求項１記載のプラズマディスプレイ装置。
【請求項５】
前記ドライブICは、フリップチップボンディングによって前記駆動ボードに実装されることを特徴とする請求項１記載のプラズマディスプレイ装置。
【請求項６】
前記駆動連結部は、異方性導電膜によって前記プラズマディスプレイパネルの電極と電気的に連結されることを特徴とする請求項１記載のプラズマディスプレイ装置。
【請求項７】
前記ドライブボードは、前記プラズマディスプレイパネルの背面に位置することを特徴とする請求項１記載のプラズマディスプレイ装置。
【請求項８】
前記ドライブボードは、ハードPCBであることを特徴とする請求項１記載のプラズマディスプレイ装置。
【請求項９】
電極を含むプラズマディスプレイパネルと、
前記プラズマディスプレイパネルの駆動のための駆動パルスを出力するドライブICがフィルム型素子によって実装されたドライブボードと、
前記ドライブICの出力端と電気的に連結された端子を含むコネクタと、  
該コネクタと連結されて、前記ドライブICの出力端を通して出力された駆動パルスを前記プラズマディスプレイパネルの電極に供給する駆動連結部と、を含むことを特徴とするプラズマディスプレイ装置。
【請求項１０】
前記フィルム型素子は、COFまたはTABの中の何れか一つであることを特徴とする請求項９記載のプラズマディスプレイ装置。
【請求項１１】
前記フィルム型素子の導線と前記コネクタの端子とは、異方性導電膜によって電気的に連結されることを特徴とする請求項９記載のプラズマディスプレイ装置。
【請求項１２】
前記駆動連結部は、前記プラズマディスプレイパネルの電極と電気的に連結される導線が形成された軟性回路基板であることを特徴とする請求項９記載のプラズマディスプレイ装置。
【請求項１３】
前記ドライブICはデータドライブICで、前記電極はアドレス電極であることを特徴とする請求項９記載のプラズマディスプレイ装置。
【請求項１４】
前記駆動連結部の端子は、前記コネクタに挿入されて、前記駆動連結部の端子と前記コネクタの端子がお互いに接触することを特徴とする請求項９記載のプラズマディスプレイ装置。
【請求項１５】
前記駆動連結部は、異方性導電膜によって前記プラズマディスプレイパネルの電極と電気的に連結されることを特徴とする請求項９記載のプラズマディスプレイ装置。
【請求項１６】
前記ドライブボードは、前記プラズマディスプレイパネルの背面に位置することを特徴とする請求項９記載のプラズマディスプレイ装置。
【請求項１７】
前記ドライブボードは、ハードPCBであることを特徴とする請求項９記載のプラズマディスプレイ装置。
【請求項１８】
駆動パルスを供給するプラズマディスプレイパネルの駆動装置において、
前記駆動パルスを出力するドライブICが実装されたドライブボードと、  
前記ドライブICの出力端と電気的に連結された端子を含むコネクタと、を含むことを特徴とするプラズマディスプレイパネルの駆動装置。
【請求項１９】
前記ドライブICは、フリップチップボンディングによって前記駆動ボードに実装されることを特徴とする請求項１８記載のプラズマディスプレイパネルの駆動装置。
【請求項２０】
前記ドライブICは、フィルム型素子によって前記駆動ボードに実装されることを特徴とする請求項１８記載のプラズマディスプレイパネルの駆動装置。
【発明の詳細な説明】
【技術分野】
【０００１】
本発明は、プラズマディスプレイ装置及びプラズマディスプレイパネルの駆動装置に関するものである。
【背景技術】
【０００２】
一般に、プラズマ表示パネルは、自発光、高速応答性、広い光視野角などのような優秀な特徴を持っている。最近、プラズマディスプレイパネルの原価節減と作業性を改善するために、データドライブICのパッケージ形態は、COF（Chip  on  Film）からTCP（Tape  Carrier  Package）に変更されている趨勢である。TCPは、COFに比べて低廉で、TCPの供給工程及び付着工程を自動化することができる。
【０００３】
図１は、データドライブICが実装された従来のTCPとプラズマ表示パネルを含むプラズマディスプレイ装置を示した図である。図２は、図１の側断面図である。従来のプラズマ表示装置においては、図１と図２に示したように、電極が形成されたプラズマディスプレイパネル１、放熱板２、ドライブボード３、TCP支持フレーム４、TCPテープ（tape）５、データドライブIC６、サーマルテープ（thermal  tape）７及びヒートシンク８を含む。
【０００４】
また、前記プラズマディスプレイパネル１の背面には、前記放熱板２が付着される。また、該放熱板２は、前記プラズマディスプレイパネル１が動作する時に発生する熱を除去する。また、前記ドライブボード３は、前記TCP支持フレーム４及び放熱板２と連結される。また、前記ドライブボード３は、前記データドライブIC６がアドレスパルスを印加するようにするタイミング制御信号を出力する。
【０００５】
また、前記TCPテープ５は、前記ドライブボード３から出力されたタイミング制御信号を前記データドライブIC６に伝送し、該データドライブIC６によって出力されたアドレスパルスを前記プラズマディスプレイパネル１のアドレス電極に伝送する。前記データドライブIC６は、前記TCP支持フレーム４上に配置され、該TCP支持フレーム４は、前記TCPテープ５を支持する。
【０００６】
一方、前記サーマルテープ７は、前記データドライブIC６とヒートシンク８に付着され、前記データドライブIC６によって発生された熱を前記ヒートシンク８に伝達する。該ヒートシンク８は、前記サーマルテープ７を通して伝達された熱を大気中に放出する。
【発明の開示】
【発明が解決しようとする課題】
【０００７】
しかし、従来のプラズマディスプレイ装置においては、データドライブICの出力端の中で、少なくとも一つの出力端からプラズマディスプレイパネルのアドレス電極にアドレスパルスが伝達されない場合、プラズマディスプレイパネルの全体を交換しなければならないという問題点があった。
すなわち、従来のプラズマディスプレイ装置の場合、前記データドライブIC６で不良が発生すると、該データドライブIC６と前記プラズマディスプレイパネル１とがお互いに分離され得ないため、前記データドライバーIC６だけではなく、前記プラズマディスプレイパネル１も交換しなければならないという問題点があった。
【０００８】
また、前記データドライブIC６が柔軟なTCPテープ５上に配置されるから、前記データドライブIC６にヒートシンク８を付着するためにTCP支持フレーム４のような別途の部材が必要であるという問題点があった。
【０００９】
また、前記TCP支持フレーム４のような別途の部材が必要であるため、該TCP支持フレーム４のような別途の部材を設置する工程が追加されるという問題点があった。
【００１０】
本発明は、前記のような問題点に鑑みてなされたもので、データドライブICが不良である場合、プラズマディスプレイパネルを交換する不合理性を除去し得るプラズマディスプレイ装置及びプラズマディスプレイパネルの駆動装置を提供することを目的とする。
【００１１】
また、本発明は、TCPフレームのような別途の部材が不必要なプラズマディスプレイ装置及びプラズマを提供することを目的とする。
【課題を解決するための手段】
【００１２】
本発明に係るプラズマディスプレイ装置においては、電極を含むプラズマディスプレイパネル、該プラズマディスプレイパネルの駆動のための駆動パルスを出力するドライブICが実装されたドライブボード、前記ドライブICの出力端と電気的に連結された端子を含むコネクタ、及び該コネクタと連結されて、前記ドライブICの出力端を通して出力された駆動パルスを前記プラズマディスプレイパネルの電極に供給する駆動連結部を含むことを特徴とする。
【００１３】
また、本発明に係るプラズマディスプレイ装置においては、電極を含むプラズマディスプレイパネル、該プラズマディスプレイパネルの駆動のための駆動パルスを出力するドライブICがフィルム型素子によって実装されたドライブボード、前記ドライブICの出力端と電気的に連結された端子を含むコネクタ、及び該コネクタと連結されて、前記ドライブICの出力端を通して出力された駆動パルスを前記プラズマディスプレイパネルの電極に供給する駆動連結部を含むことを特徴とする。
【００１４】
また、本発明に係るプラズマディスプレイパネルの駆動装置は、前記駆動パルスを出力するドライブICが実装されたドライブボード及び前記ドライブICの出力端と電気的に連結された端子を含むコネクタを含むことを特徴とする。
【発明の効果】
【００１５】
本発明は、駆動連結部の端子がコネクタに挿入されているプラズマディスプレイ装置を提供することで、ドライブICに不良が発生する場合、駆動ボードの交替が可能で、プラズマディスプレイパネルを交替することを防止し得るという効果がある。
【００１６】
また、本発明は、ドライブICが駆動ボードに実装されるから、別途の部材が不必要であるという効果がある。
【発明を実施するための最良の形態】
【００１７】
本発明に係るプラズマディスプレイ装置は、電極を含むプラズマディスプレイパネル、該プラズマディスプレイパネルの駆動のための駆動パルスを出力するドライブICが実装されたドライブボード、前記ドライブICの出力端と電気的に連結された端子を含むコネクタ、及び該コネクタと連結されて、前記ドライブICの出力端を通して出力された駆動パルスを前記プラズマディスプレイパネルの電極に供給する駆動連結部を含む。
【００１８】
また、前記駆動連結部の端子は、前記コネクタに挿入されて、前記駆動連結部の端子と前記コネクタの端子とがお互い接触する。
【００１９】
また、前記駆動連結部は、前記プラズマディスプレイパネルの電極と電気的に連結される導線が形成された軟性回路基板である。
【００２０】
また、前記ドライブICはデータドライブICで、前記電極はアドレス電極である。
【００２１】
また、前記ドライブICは、フリップチップボンディングによって前記駆動ボードに実装される。
【００２２】
また、異方性導電膜によって前記プラズマディスプレイパネルの電極と電気的に連結される。
【００２３】
また、前記ドライブボードは、前記プラズマディスプレイパネルの背面に位置する。
【００２４】
かつ、前記ドライブボードは、ハードPCBである。
【００２５】
本発明に係るプラズマディスプレイ装置は、電極を含むプラズマディスプレイパネル、該プラズマディスプレイパネルの駆動のための駆動パルスを出力するドライブICがフィルム型素子によって実装されたドライブボード、前記ドライブICの出力端と電気的に連結された端子を含むコネクタ、及び該コネクタと連結されて、前記ドライブICの出力端を通して出力された駆動パルスを前記プラズマディスプレイパネルの電極に供給する駆動連結部を含む。
【００２６】
前記フィルム型素子は、COFまたはTABの中の何れか一つである。
【００２７】
また、前記フィルム型素子の導線と前記コネクタの端子とは、異方性導電膜によって電気的に連結される。
【００２８】
前記プラズマディスプレイパネルの電極と電気的に連結される導線が形成された軟性回路基板である。
【００２９】
また、前記ドライブICはデータドライブICで、前記電極はアドレス電極である。
【００３０】
また、前記駆動連結部の端子は、前記コネクタに挿入されて前記駆動連結部の端子と前記コネクタの端子とがお互いに接触する。
【００３１】
また、前記駆動連結部は、異方性導電膜によって前記プラズマディスプレイパネルの電極と電気的に連結される。
【００３２】
また、前記ドライブボードは、前記プラズマディスプレイパネルの背面に位置する。
【００３３】
かつ、前記ドライブボードは、ハードPCBである。
【００３４】
本発明に係るプラズマディスプレイパネルの駆動装置は、前記駆動パルスを出力するドライブICが実装されたドライブボード及び前記ドライブICの出力端と電気的に連結された端子を含むコネクタを含む。
【００３５】
また、前記ドライブICは、フリップチップボンディングによって前記駆動ボードに実装される。
【００３６】
かつ、前記ドライブICは、フィルム型素子によって前記駆動ボードに実装される。
【００３７】
以下、本発明に係る具体的な実施形態に対し、図面を用いて説明する。
【００３８】
<第１実施形態>
【００３９】
図３は、本発明の第１実施形態によるプラズマディスプレイ装置の平面図である。
本発明の第１実施形態によるプラズマディスプレイ装置は、図３に図示したように、プラズマディスプレイパネル１００、ドライブボード２００、コネクタ３００及び駆動連結部４００を含む。
【００４０】
また、前記プラズマディスプレイパネル１００は、上部パネルと下部パネルを含む。また、前記上部パネルは、上部ガラス基板、該上部ガラス基板上に形成されたスキャン電極及びサステイン電極、該スキャン電極及びサステイン電極の間を絶縁する上部誘電体層、スキャン電極及びサステイン電極を保護して二次電子の放出を容易にする保護膜を含む。また、前記下部パネルは、下部ガラス基板、該下部ガラス基板上に形成されて発光が起きるセルを選択するためのアドレス電極、該アドレス電極とアドレス電極の間を絶縁させる上部誘電体層、上部パネルと下部パネルの間隔を維持してセルを形成する隔壁、該隔壁と隔壁の間に塗布されて、不活性ガスの放電によって光を放出する蛍光体層を含む。
【００４１】
また、前記ドライブボード２００は、前記プラズマディスプレイパネル１００の駆動のための駆動パルスを出力するドライブIC２１０が実装される。特に、前記ドライブボード２００に実装されるドライブIC２１０がデータドライブICである場合、該データドライブICは、前記プラズマディスプレイパネル１００のアドレス電極の駆動のためのアドレスパルスを供給する。本発明の第１実施形態においては、前記ドライブIC２１０が前記ドライブボード２００にフリップチップボンディング（flip  chip  bonding）によって実装される。該フリップチップボンディングは、前記ドライブIC２１０の電極パターンあるいはインナーリード（inner  lead）に半田ボール（solder ball）などの突出部が形成され、該突出部が前記ドライブボード２００のアウターリード（outer  lead）と電気的に連結される。また、前記ドライブボード２００は、ハード（Hard）PCB（Printed  Circuits  Board）から成る。前記ドライブIC２１０がデータドライブICである場合、データドライブIC２１０は、おおよそ６４個あるいは９６個くらいのFET（Field  Effect  Transistor）が連結されて構成される。
【００４２】
また、前記コネクタ３００は、前記ドライブIC２１０の出力端と電気的に連結された端子を含む。本発明の第１実施形態においては、前記ドライブIC２１０の出力端、すなわち、該ドライブIC２１０のインナーリードは前記ドライブボード２００のアウターリードと連結され、前記ドライブボード２００のアウターリードは前記コネクタ３００の端子と連結される。これによって、前記コネクタ３００の端子と前記ドライブIC２１０の出力端とが電気的に連結される。
【００４３】
また、前記ドライブボード２００と前記コネクタ３００は、プラズマディスプレイパネルの駆動装置を形成する。
【００４４】
また、前記駆動連結部４００は、前記コネクタ３００と連結されて、前記ドライブIC２１０の出力端を通して出力された駆動パルスを前記プラズマディスプレイパネル１００の電極に供給する。すなわち、前記駆動連結部４００の端子が前記コネクタ３００に挿入されると、前記駆動連結部４００の端子と前記コネクタ３００の端子とがお互い接触して電気的に連結される。前記ドライブIC２１０がデータドライブICである場合、前記駆動連結部４００は、データドライブICから出力されたアドレスパルスを前記プラズマディスプレイパネル１００のアドレス電極に供給する。
【００４５】
また、前記駆動連結部４００は、前記プラズマディスプレイパネル１００の電極と電気的に連結される導線が形成された軟性回路基板（FPC；Flexible  Printed  Circuit）である。軟性回路基板である駆動連結部４００は、異方性導電膜（ACF；Anisotropic  Conductive  Film）によって前記プラズマディスプレイパネル１００の電極と電気的に連結される。異方性導電膜は、金属でコーティングされたプラスチックまたは金属粒子のような伝導性粒子が異方性導電膜の内部に分散されている。前記プラズマディスプレイパネル１００の電極上に異方性導電膜が塗布されて軟性回路基板の導線と前記プラズマディスプレイパネル１００の電極がアラインされると、軟性回路基板に圧力が加えられる。これによって、該軟性回路基板の導線と前記プラズマディスプレイパネル１００の電極の間にある異方性導電膜の各伝導性粒子はお互いに接触して導電性を帯びて、残りの領域にある異方性導電膜の各伝導性粒子はお互いに分離されて絶縁性を帯びる。
【００４６】
図３においては、前記ドライブボード２００と前記プラズマディスプレイパネル１００とが同一平面上に位置するが、実際に前記ドライブボード２００は、前記プラズマディスプレイパネル１００の背面に位置する。
【００４７】
本発明の第１実施形態においては、前記駆動連結部４００の端子が前記コネクタ３００に挿入されることで、駆動パルスがプラズマディスプレイパネルのアドレス電極に供給される。前記ドライブIC２１０に不良が発生する場合、前記駆動連結部４００は、前記コネクタ３００と分離され、正常的なドライブIC２１０が装着された前記駆動ボード２００のコネクタ３００と駆動連結部４００とが連結される。これによって、前記プラズマディスプレイパネル１００は正常的に動作する。したがって、前記ドライブIC２１０に不良が発生する場合、駆動ボードが交替されることで、従来のようにプラズマディスプレイパネルを交替することを防止することができる。
【００４８】
また、従来のプラズマディスプレイ装置においては、ドライブICがTCPテープ上に配置され、TCPフレームのような別途の部材が必要であるが、本発明の第１実施形態によるプラズマディスプレイ装置においては、前記ドライブIC２１０が前記駆動ボード２００に実装されるから、別途の部材が不必要である。
【００４９】
<第２実施形態>
【００５０】
図４は、本発明の第２実施形態によるプラズマディスプレイ装置の平面図である。
本発明の第２実施形態によるプラズマディスプレイ装置においては、図４に示したように、プラズマディスプレイパネル１００、ドライブボード２００、コネクタ３００及び駆動連結部４００を含む。本発明の第２実施形態に含まれた前記プラズマディスプレイパネル１００及び前記駆動連結部４００は、本発明の第１実施形態と同一であるから、詳細な説明は省略する。
【００５１】
本発明の第２実施形態に含まれた前記ドライブボード２００には、前記プラズマディスプレイパネル１００の駆動のための駆動パルスを出力するドライブIC２１０が実装される。特に、前記ドライブボード２００に実装されるドライブIC２１０がデータドライブICである場合、該データドライブICは、前記プラズマディスプレイパネル１００のアドレス電極の駆動のためのアドレスパルスを供給する。本発明の第２実施形態においては、前記ドライブIC２１０が前記ドライブボード２００にCOF（Chip  On  Film）またはTAB（Tape  Automated  Bonding）のようなフィルム型素子２２０によって実装される。COFまたはTABは、ドライブICの端子と導線がテープフィルム上に接続され、樹脂（Resin）で密封されたフィルム型素子である。前記ドライブボード２００は、ハード（Hard）PCB（Printed  Circuits  Board）から成る。
【００５２】
また、前記コネクタ３００は、前記ドライブIC２１０の出力端と電気的に連結された端子を含む。本発明の第２実施形態においては、前記ドライブIC２１０の出力端に対応するフィルム型素子２２０の導線とコネクタ３００の端子が異方性導電膜（ACF）によって連結される。これによって、前記コネクタ３００の端子とドライブIC２１０の出力端とが電気的に連結される。
【００５３】
また、前記ドライブボード２００と前記コネクタ３００は、プラズマディスプレイパネルの駆動装置を形成する。
【００５４】
本発明の第２実施形態においては、前記駆動連結部４００の端子が前記コネクタ３００に挿入されることで、前記ドライブIC２１０に不良が発生する場合、駆動ボードが交替されるから、従来のようにプラズマディスプレイパネルを交替することを防止することができる。
【００５５】
また、従来のプラズマディスプレイ装置においては、ドライブICがTCPテープ上に配置され、TCPフレームのような別途の部材が必要であるが、本発明の第２実施形態によるプラズマディスプレイ装置においては、前記ドライブIC２１０が前記駆動ボード２００に実装されるから、別途の部材が不必要である。
【図面の簡単な説明】
【００５６】
【図１】データドライブICが実装された従来のTCPとプラズマ表示パネルを含むプラズマディスプレイ装置を示した図である。
【図２】図１の側断面図である。
【図３】本発明の第１実施形態によるプラズマディスプレイ装置の平面図である。
【図４】本発明の第２実施形態によるプラズマディスプレイ装置の平面図である。
【符号の説明】
【００５７】
１００：プラズマディスプレイパネル
２００：ドライブボード
２１０：ドライブIC
３００：コネクタ
４００：駆動連結部
【図１】
2006163421.tif 000003
【図２】
2006163421.tif 000004
【図３】
2006163421.tif 000005
【図４】
2006163421.tif 000006